(57)【要約】      （修正有）【課題】従来、抱きアームで支持していた大径の電線を、既存の単アームのみで引き留めできるようにするアーム用補助金物を提供すること。【解決手段】電線８を引き留めるために電柱３に取り付けられるアーム２を補強するアーム用補助金物１であって、角柱状のアーム２の長手方向に沿って装着できるように、側面視でＬ字状に形成されている。補助金物１は、その上面部がアーム２の上面に載置され、正面部がアーム２の正面、すなわちアーム２の電線引留側に位置するようにアーム２に装着される。また、補助金物１の正面部の長手方向中央部には、アーム２を電柱３に固定する縫いボルトを挿通するためのボルト挿通溝が開けられている。【選択図】図４
2005020957.tif 000002
【特許請求の範囲】
【請求項１】
電線を引き留めるために電柱に取り付けられるアームを補強するアーム用補助金物であって、アームの電線引留側の面に沿って配置されるアーム用補助金物。
【請求項２】
アームを電柱に取り付けている縫いボルトを、この縫いボルトが電柱に装着されている状態で挿通可能なボルト挿通溝を有する請求項１に記載のアーム用補助金物。
【発明の詳細な説明】
【０００１】
【発明の属する技術分野】
本発明は、電線を引き留めるために電柱に取り付けられるアームを補強するアーム用補助金物に関する。
【０００２】
【従来の技術】
従来、電線を電柱間に配線するにあたっては、電柱にアームを取り付け、このアームにストラップ及び碍子を介して電線を引き留めるようにしている（例えば、特許文献１〜３参照）。
【０００３】
このうち、複数の電線を水平に並べて配線する水平配線の場合、例えば特許文献１に見られるように、電柱に１本のアームを取り付け、そのアームの両端及び中央部分で電線を引き留めるようにしている。ただし、電線の断面積が１２０ｍｍ２以上の大径電線を引き留めるには、１本のアームでは強度が不足するため、２本のアームを組み合わせた「抱きアーム」と呼ばれる構造が採用されている。
【０００４】
図６は、従来の抱きアームを示す斜視図である。同図に示すように、従来の抱きアームは、電柱３を挟んで２本のアーム２，２を配置し、２本のアーム２，２の両端部及び中央部どうしをボルト１０によって連結し一体化したものである。この抱きアームの両端部及び中央部には、ストラップ６，１１及び碍子７を介して電線８が引き留められるようになっている。
【０００５】
【特許文献１】
実開平７−４１８７９号公報
【０００６】
【特許文献２】
実開平６−４８３３４号公報
【０００７】
【特許文献３】
特開平９−３０８０６２号公報
【０００８】
【発明が解決しようとする課題】
しかし、従来の抱きアームでは、２本のアームを使用するため、材料費がかかるとともにその取付作業にも手間がかかるため、総工事費コストが高くなるという問題があった。
【０００９】
また、電線張替で電線のサイズアップ（例えば５８ｍｍ２以下→１２０ｍｍ２以上）を行う場合、１本のアームからなる単アームを一旦解体した後、抱きアームに変更する必要があるため、さらに総工事費コストが高くなっていた。
【００１０】
そこで、本発明が解決しようとする課題は、従来、抱きアームで支持していた大径の電線を、既存の単アームのみで引き留めできるようにするためのアーム用補助金物を提供することにある。
【００１１】
【課題を解決するための手段】
本発明は、電線を引き留めるために電柱に取り付けられるアームを補強するアーム用補助金物であって、アームの電線引留側の面に沿って配置されるアーム用補助金物である。
【００１２】
本発明のアーム用補助金物には、縫いボルトが電柱に装着されている状態で挿通可能となるようボルト挿通溝を設けている。これによって、既設のアームを解体することなく、アーム用補助金物を既設のアームに簡単に取り付けることができる。
【００１３】
本発明のアーム用補助金物は、アームに固定することなく単にアームの電線引留側の面に沿って配置することもできるが、脱落防止及びアームのさらなる強度補強のためには、ボルト締め等の固定手段によりアームに固定することが好ましい。
【００１４】
【発明の実施の形態】
以下、本発明のアーム用補助金物を、水平配線時に使用される角柱状のアームに適用した例によって、本発明の実施の形態を説明する。
【００１５】
図１は、本発明の一実施例に係るアーム用補助金物（以下、単に「補助金物」という。）を示し、（ａ）は平面図、（ｂ）は正面図、（ｃ）は右側面図である。図２は、図１の補助金物をアームに装着した状態を示す正面図である。図３は補助金物を装着したアームを電柱に取り付けた状態を示す側面図、図４は、その斜視図である。
【００１６】
補助金物１は、角柱状のアーム２の長手方向に沿って装着できるように、側面視でＬ字状に形成されており、図２〜図４に示すように、補助金物１は、その上面部（Ａ面）がアーム２の上面に載置され、正面部（Ｂ面）がアーム２の正面、すなわち電線引留側に位置するようにしてアーム２に装着される。
【００１７】
ここで、本実施例の補助金物は、長さ１５００ｍｍのアーム２に装着されるもので、その長さは６５０ｍｍ、厚さは９ｍｍ、上面部（Ａ部）及び正面部（Ｂ部）の幅はそれぞれ７５ｍｍであり、ＳＳ４００で構成されている。なお、図面では、図示の便宜上、縦横の縮尺は均一とはしていない。
【００１８】
図１に示すように、補助金物１の上面部（Ａ面）には、補助金物１をアーム２に固定するボルト（図示せず）を挿通するためのボルト穴１ａを開けている。また、補助金物１の正面部（Ｂ面）の長手方向中央部には、アーム２を電柱３に固定する縫いボルト４（図３参照）を挿通するためのボルト挿通溝１ｂを開けている。このボルト挿通溝１ｂは、アーム２に形成されている縫いボルト挿通穴２ａ（図２参照）が露出する大きさに形成されている。
【００１９】
ボルト挿通溝１ｂを挟んでその両側は、補助金物１の軽量化のために切欠部１ｃが形成されている。この切欠部１ｃは、アーム２を電柱３に固定するバンド（図示せず）を挿通するためにアーム２に形成されているバンド挿通穴２ｂ（図２参照）が露出する大きさに形成されている。
【００２０】
以上の構成を有する補助金物１は、図４に示すように、アーム２の電線引留側に沿うように装着され、補助金物１を装着したアーム２は、アームタイ５やバンド（図示せず）によって電柱３に取り付けられる。このアーム２の両端部には、ストラップ６及び碍子７を介して電線８が引き留められる。アーム２の長手方向中央部分にはストラップ９を介して碍子７が連結され、その碍子７に電線８が引き留められる。
【００２１】
この状態において、アーム２には、電線８からの引張荷重によって、電柱３との接点部分を中心として折れ曲がろうとする荷重が作用し、アーム２の電柱３との接点部分でその荷重（座屈荷重）が最大となる。しかし、本発明では、電柱３との接点部分を含めてアーム２の電線引留側の面には補助金物１が配置されているので、電柱３との接点部分に掛かる荷重を分散させることができる。したがって、電線３による引張荷重に対するアームの強度を向上させることができ、電線の断面積が１２０ｍｍ２以上の大径電線であっても、１本のアーム２（単アーム）によって引き留めることができる。
【００２２】
図５は、アームの強度試験結果を示すグラフである。この強度試験では、実際のアームの使用状況を模擬するために、アームを電柱に水平に取り付けてその両端部に水平引張荷重を印加し、この水平引張荷重に対するアームの水平方向の変位を測定した。図５において、実施例は、本発明の補助金物を装着した単アームの試験結果を示し、比較例１は本発明の補助金物を装着していない従来の単アームの試験結果、比較例２は先に図６に示した従来の抱きアームの試験結果を示す。同図から、本発明の補助金物を装着した単アーム（実施例）は、従来の単アーム（比較例１）の２倍程度の強度を有し、従来の抱きアーム（比較例２）と同等の強度を有することがわかる。このように、本発明の補助金物を既存の単アームに装着することによって、従来、抱きアームで支持していた断面積が１２０ｍｍ２以上の大径電線を、単アームで引き留められることが確認された。
【００２３】
次に、図３及び図４を参照して、本発明の補助金物を既存の単アームに取り付ける手順について説明する。これは、単アームで引き留めていた断面積１２０ｍｍ２未満の電線を、断面積１２０ｍｍ２以上の大径電線に張り替えする際の作業手順である。
【００２４】
まず、既設の単アーム（アーム２）に取り付けられている電線８に張線器（図示せず）をかけてストラップ９を外し、既設の電線８を取り外す。次に、縫いボルト４を緩め、既設のアーム２と電柱３との間に若干の隙間を開ける。その隙間に補助金物１の正面部（Ｂ部）を挿入し、縫いボルト４が正面部（Ｂ部）のボルト挿通溝１ｂ（図１参照）に入るように装着する。補助金物１は、その上面部（Ａ部）のボルト挿通穴１ａ（図１参照）に装着されるボルト（図示せず）によってアーム２に固定される。次に、縫いボルト４を締め付けてアーム２を電柱３に再固定する。その後、新設の電線を張線器（図示せず）を使用してアーム２に取り付けて引き留めする。
【００２５】
以上のように、本発明の補助金物は、既設の単アームに容易に取り付けることができ、その強度を向上させることができる。
【００２６】
【発明の効果】
本発明によれば、従来、抱きアームで支持していた断面積が１２０ｍｍ２以上の大径電線を、単アームで引き留めることができるようになるので、電線新設時の総工事費コストを大幅に削減することができる。
【００２７】
また、本発明の補助金物は、既設の単アームに取り付けることができるので、電線のサイズアップを伴う電線張替時の総工事費コストも大幅に削減することができる。
【図面の簡単な説明】
【図１】本発明の一実施例に係る補助金物を示し、（ａ）は平面図、（ｂ）は正面図、（ｃ）は右側面図である。
【図２】図１の補助金物をアームに装着した状態を示す正面図である。
【図３】補助金物を装着したアームを電柱に取り付けた状態を示す側面図である。
【図４】補助金物を装着したアームを電柱に取り付けた状態を示す斜視図である。
【図５】アームの強度試験結果を示すグラフである。
【図６】従来の抱きアームを示す斜視図である。
【符号の説明】
１  補助金物
１ａ  ボルト穴
１ｂ  ボルト挿通溝
１ｃ  切欠部
２  アーム
２ａ  縫いボルト挿通穴
２ｂ  バンド挿通穴
３  電柱
４  縫いボルト
５  アームタイ
６  ストラップ
７  碍子
８  電線
９  ストラップ
１０  ボルト
１１  ストラップ
【図１】
2005020957.tif 000003
【図２】
2005020957.tif 000004
【図３】
2005020957.tif 000005
【図４】
2005020957.tif 000006
【図５】
2005020957.tif 000007
【図６】
2005020957.tif 000008